(57)【要約】【課題】二つのホウキを交互に揺動させてテーブル上の塵芥等を掃き払って収納させるように構成されている従来例の卓上クリーナーに於いては、二つのホウキを交互に揺動させるために極めて複雑な機構となり、部品数も多いので組立工数も多くなり組立に手間のかかるものであった。また、収納した塵芥等を捨てる場合にも捨てにくい構造であり、二つのホウキを交互に揺動させる機能性のみが重視された構成であり、更に、二つのホウキの間の塵芥が取り残される問題があった。【解決手段】駆動用レバーの反復操作による回転エネルギーをフライホイールに蓄えてその回転エネルギーを併用し、部品数を極端に減少させ、組立を簡単にして、掃き取り用のブルーム部材を一つにして掃き取り後の塵芥の残りをなくし、しかもブルーム部材に取り付けたキャラクターが掃き掃除をしているような表現を付与するように構成したダストパン装置を提供する。【選択図】図１
2004329828.tif 000002
【特許請求の範囲】
【請求項１】
ダストパン本体を前進させながら駆動用レバーの反復操作に伴って、フレームに固定された駆動伝達部を介して、ブルーム部材が揺動自在に構成され、該ブルーム部材の揺動によって卓上の塵等がフレーム内側の塵受部に収納されるように構成しことを特徴とするダストパン装置。
【請求項２】
駆動用レバーの操作によって駆動伝達部内のラックギヤが前後に移動しピニオンギヤを回転させると共に、駆動用レバーの反復操作による駆動力はクラッチギヤ及び一方向回転ギヤを介してクランク部材を回転させ、該クランク部材の先端の摺動部が揺動アームのスリット内を摺動しながら、ブルーム部材全体を揺動させるように構成しことを特徴とする請求項１記載のダストパン装置。
【請求項３】
駆動用レバーの操作によって駆動伝達部内のラックギヤが前後に移動しピニオンギヤを回転させると共に、駆動用レバーの反復操作による駆動力はクラッチギヤ及び一方向回転ギヤを介してフライホイール固定ギヤに噛み合い、回転エネルギーをフライホイールに蓄え、その回転エネルギーがクランク部材の回転に寄与できるように構成したことを特徴とする請求項１記載のダストパン装置。
【請求項４】
ブルーム部材全体が前方から後方へ揺動するとき、ブルーム部材全体の自重によってブラシが卓上面を掃き上げるように揺動し、逆に後方から前方へ揺動する際はクランク部材の先端の摺動部が揺動アームのスリット内を摺動しながらブルーム部材全体を持ち上げて揺動するように構成しことを特徴とする請求項１記載のダストパン装置。
【請求項５】
クラッチギヤの支軸はフレームに固定された内側ハウジングに設けられた長孔に嵌挿され、ピニオンギヤの逆回転時にはクラッチギヤのシャフトが長孔内を移動し、クラッチギヤと一方向回転ギヤとの噛み合わせが解除されて一方向回転ギヤが逆回転しないように構成しことを特徴とする請求項１記載のダストパン装置。
【請求項６】
ブルーム部材にキャラクターを取り付け、ブルーム部材の揺動動作に伴って、ブルーム部材に取り付けたキャラクターが掃き掃除をしているような表現を付与できるように構成したことを特徴とする請求項１記載のダストパン装置。
【発明の詳細な説明】
【０００１】
【発明の属する技術分野】
本発明は、ダストパン装置に関し、特に卓上面の塵等を容易に掃き払って塵受部に塵等を収納し、容易に捨てることのできるダストパン装置であって、あたかもブルーム部材に取り付けたキャラクターが掃き掃除をしているような表現を付与すると共に駆動用レバーの操作によって生じる回転エネルギーがフライホイールにたくわえられるようにして効率のよい集塵効果をえられるようにしたダストパン装置を提供するものである。
【０００２】
【従来の技術】
従来、例えば特公平４−７４０１３に開示されているようにテーブル上の細かいゴミを取る卓上クリーナーが提案されている。
【０００３】
【発明が解決しようとする課題】
前記せるような卓上クリーナーに於いては、二つのホウキを交互に揺動させてテーブル上の塵芥等を掃き払って収納させるように構成されているが、二つのホウキを交互に揺動させるために極めて複雑な機構となり、部品数も多いので組立工数も多くなり組立に手間のかかるものであった。また、収納した塵芥等を捨てる場合にも捨てにくい構造であり、二つのホウキを交互に揺動させる機能性のみが重視された構成であり、更に、二つのホウキの間の塵芥が取り残される問題があった。
【０００４】
【課題を解決するための手段】
本発明のダストパン装置は前記せる従来の卓上クリーナーとは駆動機構が全く異なる機構であって、駆動用レバーの反復操作による回転エネルギーをフライホイールに蓄えてその回転エネルギーを併用し、部品数を極端に減少させ、組立を簡単にして、掃き取り用のブルーム部材を一つにして掃き取り後の塵芥の残りをなくし、しかもブルーム部材に取り付けたキャラクターが掃き掃除をしているような表現を付与するものである。即ち、本発明のダストパン装置は、ダストパン本体を前進させながら駆動用レバーの反復操作に伴って、フレームに固定された駆動伝達部を介して、ブルーム部材が揺動自在に構成され、該ブルーム部材の揺動によって卓上の塵等がフレーム内側の塵受部に収納されるように構成しことを特徴とし、駆動用レバーの操作によって駆動伝達部内のラックギヤが前後に移動しピニオンギヤを回転させると共に、駆動用レバーの反復操作による駆動力はクラッチギヤ及び一方向回転ギヤを介してクランク部材を回転させ、該クランク部材の先端の摺動部が揺動アームのスリット内を摺動しながら、ブルーム部材全体を揺動させるように構成しことを特徴とし、駆動用レバーの反復操作によって駆動伝達部内のラックギヤが前後に移動しピニオンギヤを回転させると共に、駆動用レバーの操作による駆動力はクラッチギヤ及び一方向回転ギヤを介してフライホイール固定ギヤに噛み合い、回転エネルギーをフライホイールに蓄え、その回転エネルギーがクランク部材の回転に寄与できるように構成したことを特徴とし、ブルーム部材全体が前方から後方へ揺動するとき、ブルーム部材全体の自重によってブラシが卓上面を掃き上げるように揺動し、逆に後方から前方へ揺動する際はクランク部材の先端の摺動部が揺動アームのスリット内を摺動しながらブルーム部材全体を持ち上げて揺動するように構成しことを特徴とし、クラッチギヤの支軸はフレームに固定された内側ハウジングに設けられた長孔に嵌挿され、ピニオンギヤの逆回転時にはクラッチギヤのシャフトが長孔内を移動し、クラッチギヤと一方向回転ギヤとの噛み合わせが解除されて一方向回転ギヤが逆回転しないように構成しことを特徴とし、且つ、ブルーム部材にキャラクターを取り付け、ブルーム部材の揺動動作に伴って、ブルーム部材に取り付けたキャラクターが掃き掃除をしているような表現を付与できるように構成したことを特徴とするダストパン装置を提供するものである。
【０００５】
【発明の実施の形態】
以下、図面に示す実施の形態により本発明を詳細に説明する。
図面に於て、図１は本発明ダストパン装置の全体斜視図である。図２は本発明ダストパン装置のキャラクターを取り外した平面図である。図３は本発明ダストパン装置の底面図である。図４は本発明ダストパン装置の側面図である。図５は駆動伝達部の外側ハウジングを取り外した側面図である。図６は図５よりフライホイールを取り外した側面図である。図７はフライホイールの内側図である。図８は図１よりブルーム部材を取り外した斜視図である。図９はブルーム部材の斜視図である。図１０はクランク部材の正面図である。図１１は図６より一方向回転ギヤを取り外した側面図である。図１２は図１１より介装プレートを取り外した側面図である。
【０００６】
本発明のダストパン装置は、主に駆動伝達部１、該駆動伝達部１内に収納され、回転エネルギーを蓄えることのできるフライホイール、ダストパン本体３及びブルーム部材２から構成されており、その具体的な機構と動作について以下に説明する。
【０００７】
親指と人指し指で把手３１と駆動用レバー３５をつまみ、駆動用レバー３５が把手３１の内側に入り込むように反復動作を付与させながら、且つ、ダストパン本体３を前進させると、この駆動用レバー３５の反復操作に伴って、フレーム３２に固定された駆動伝達部１を介して、ブルーム部材２が揺動自在に構成され、該ブルーム部材２の揺動によって卓上の塵等がフレーム内側の塵受部３３に収納される。
【０００８】
フレーム３２の後方下部には接地部３４が突出しており、そのためフレーム３２全体は僅かに後方が高くなり、塵受部３３の先端部が机上に接触して塵等を掃き入れしやすいようになっている。
【０００９】
駆動用レバー３５は把手３１内に押し込まれても、ダストパン本体３内に内蔵されるスプリング（図示せず）によって元の位置に戻されるので、該駆動用レバー３５の反復操作が可能であり、この駆動用レバー３５の反復操作によって駆動伝達部１内のラックギヤ３７をアーム３６によって前後に移動させ、ピニオンギヤ３８を回転させると共に、駆動用レバー３５の反復操作による駆動力はクラッチギヤ３７及び一方向回転ギヤ１５を介してクランク部材５０を回転させ、該クランク部材５０の先端の摺動部２８が揺動アーム２５のスリット内を摺動しながら、ブルーム部材２全体を揺動させることができる。
【００１０】
また、駆動用レバー３５の操作によって駆動伝達部１内のラックギヤ３７が前後に移動しピニオンギヤ３８を回転させると共に、駆動用レバー３５の反復操作による駆動力はクラッチギヤ３７及び一方向回転ギヤ１５を介して、フライホイール固定ギヤ２０１噛み合い、回転エネルギーをフライホイール２０に蓄えることができ、例えば一回の駆動レバー３５の操作によって、その回転エネルギーがクランク部材５０の回転に寄与され、その結果ブルーム部材２の揺動アーム２５を数回作動させることになる。
【００１１】
駆動用レバー３５の操作によってラックギヤ３７が前方に移動する場合、ピニオンギヤ３８は反時計回りに回転しクラッチギヤ１６に噛み合い、更にクラッチギヤ１６が一方向回転ギヤ１５に噛み合っており、フライホイール２０と一方向回転ギヤ１５を同時に回転させ、その回転力でクランク部材５０を回転させ、揺動アーム２５を揺動させる。
【００１２】
また、ラックギヤ３７が後方に移動する場合はクラッチギヤ１６の支軸１６１は長孔１６２内を下方に移動して該クラッチギヤ１６と一方向回転ギヤ１５との噛み合いが外れるので、ブルーム部材２への駆動力伝達は行われない。
【００１３】
ブルーム部材２は揺動アーム２５に固定されたブラシ固定部２３１を有し、該ブラシ固定部２３１にはブラシ２３が固定されており、ブラシ固定部２３１にはブルームスティク２１が立設され、該ブルームスティク２１を抱えて揺動アーム２５が揺動するときにあたかもキャラクター２２が掃き掃除をしているようにブラシ固定部２３１にキャラクター２２が固定されている。
【００１４】
揺動アーム２５にはスリット２６が形成されており、該スリット２６にはクランク部材５０の摺動部２８が挿通されており、クランク部材５０のシャフト１７の回転によって該揺動アーム２５が揺動する。
【００１５】
揺動アーム２５の先端部には固定軸２９が固定されており、スペーサ２７を介して摺動部２７１が固定され、該摺動部２７１は内側ハウジング１４及び介装プレート１４２に設けたスリット１４１に嵌挿されているので揺動部材アーム２５の揺動と上下動のガイドとなっている。
【００１６】
【発明の効果】
本発明のダストパン装置は以上説明したような構成となっているので、駆動用レバー３５よる駆動力はフライホイールの回転による付勢力を併用しながらクラッチギヤ及び一方向回転ギヤを介してクランク部材を回転させ、該クランク部材の先端の摺動部が揺動アームのスリット内を摺動しながら、ブルーム部材全体を揺動させるように構成され、ブルーム部材全体が前方から後方へ揺動するとき、ブルーム部材全体の自重によってブラシが卓上面を掃き上げるように揺動し、逆に後方から前方へ揺動する際はクランク部材の先端の摺動部が揺動アームのスリット内を摺動しながらブルーム部材全体を持ち上げて揺動するように構成されており、かつ、ブルーム部材にキャラクターを取り付け、ブルーム部材の揺動動作に伴って、ブルーム部材に取り付けたキャラクターが掃き掃除をしているような表現を付与できるように構成しているので、単に機能的な掃き掃除ではなく、玩具的な面白さや、キャラクターを好みに併せて互換できる趣味的な効果をも有するものである。
【図面の簡単な説明】
【図１】本発明ダストパン装置の全体斜視図である。
【図２】本発明ダストパン装置のキャラクターを取り外した平面図である。
【図３】本発明ダストパン装置の底面図である。
【図４】本発明ダストパン装置の側面図である。
【図５】駆動伝達部の外側ハウジングを取り外した側面図である。
【図６】図５よりフライホイールを取り外した側面図である。
【図７】フライホイールの内側図である。
【図８】図１よりブルーム部材を取り外した斜視図である。
【図９】ブルーム部材の斜視図である。
【図１０】クランク部材の正面図である。
【図１１】図６より一方向回転ギヤを取り外した側面図である。
【図１２】図１１より介装プレートを取り外した側面図である。
【符号の説明】
１．駆動伝達部
２．ブルーム部材
３．ダストパン本体
１１．外側ハウシジング
１４．内側ハウジング
１４１．スリット
１４２．介装プレート
１５．一方向回転ギヤ
１６．クラッチギヤ
１６１．支軸
１６２．長孔
１７．シャフト
１８．シャフト
２０．フライホイール
２０１．フライホイール固定ギヤ
２１．ブルームスティック
２２．キャラクタ
２３．ブラシ
２３１．ブラシ固定部
２５．揺動アーム
２６．スリット
２７．スペーサ
２７１．摺動部
２８．摺動部
２９．固定軸
３１．把手
３２．フレーム
３３．塵受部
３４．接地部
３５．駆動用レバー
３６．アーム
３７．ラックギヤ
３８．ピニオンギヤ
３８１．シャフト
５０．クランク部材
【図１】
2004329828.tif 000003
【図２】
2004329828.tif 000004
【図３】
2004329828.tif 000005
【図４】
2004329828.tif 000006
【図５】
2004329828.tif 000007
【図６】
2004329828.tif 000008
【図７】
2004329828.tif 000009
【図８】
2004329828.tif 000010
【図９】
2004329828.tif 000011
【図１０】
2004329828.tif 000012
【図１１】
2004329828.tif 000013
【図１２】
2004329828.tif 000014